(57)【要約】記録／読出し装置を用いてデータを記憶すべく構成される光記録担体(20)である。記録／読出し装置は、２３０ｎｍ〜２７０ｎｍの範囲内に波長Ｘを有する電磁放射(29)を放つ紫外線レーザー源を備えている。この記録／読出し装置はさらに、光記録ディスク上に電磁放射(29)を集束させるための対物レンズ(21)も備えている。ＮＡは対物レンズの開口数である。光記録担体は、（０．５５×λ／ＮＡ）〜（０．７５×λ／ＮＡ）の範囲内のトラックピッチＴＰを有する螺旋状のトラック(22)を備えている。
2007528575.tif 000002
【特許請求の範囲】
【請求項１】
波長λが２３０ｎｍ〜２７０ｎｍの範囲内の電磁放射を放つ紫外レーザー源と、光記録ディスク上に電磁放射を集束させるための開口数がＮＡの対物レンズとを備えている、記録／読出し装置を用いてデータを記憶させるべく構成される光記録担体において、該光記録担体における螺旋トラックのトラックピッチＴＰが、（０．５５×λ／ＮＡ）〜（０．７５×λ／ＮＡ）の範囲内あることを特徴とする光記録担体。
【請求項２】
グルーブの深度をｄとし、該グルーブ深度ｄが（１／１２）×（λ／ｎ０）〜（１／４）×（λ／ｎ０）の範囲にあり、ここに、ｎ０は前記光記録担体の保護層の屈折率とするか、又は保護層を有しない光記録担体の場合はｎ０を１とすることを特徴とする請求項１に記載の光記録担体。
【請求項３】
グルーブデューティサイクルが３０％〜７０％の範囲にあることを特徴とする請求項１又は２に記載の光記録担体。
【発明の詳細な説明】
【技術分野】
【０００１】
本発明は、記録／読出し装置を用いてデータを記憶するための光記録担体に関する。前記記録／読出し装置は、２３０ｎｍ〜２７０ｎｍの範囲内の波長λを有する紫外レーザーを備えている。記録装置は、光記録ディスク上にレーザービームを集束させるための対物レンズも備えている。この対物レンズは、所定の開口数ＮＡを有する。
【背景技術】
【０００２】
光データ記憶システムはデータ容量を進化的に増加させている。光記憶システム、特に、光ディスクは、対物レンズを介してディスク上に集束される単色レーザービームによって読み出される。光ディスクのデータ容量は、単色レーザービームの焦点サイズによって制限される。光スポットのサイズは使用するレーザー光の波長（λ）と対物レンズの開口数（ＮＡ）に比例し、以下の式が成り立つ。
Ｄ∝λ／ＮＡ
【０００３】
光ディスクの総データ容量は、記録／読出し装置の光スポットのサイズによって決定される。
【０００４】
対物レンズの開口数（ＮＡ）を増やし、レーザーの波長（λ）を短くすることにより、総データ容量は６５０メガバイト（ＣＤ、ＮＡ＝０．４５、λ＝７８０ｎｍ）から４．７ギガバイト（ＤＶＤ、ＮＡ＝０．６０、λ＝６５０ｎｍ）に、さらに２５ギガバイト（ＢＤ、かつてのＤＶＲ、ＮＡ＝０．８５、λ＝４０５ｎｍ）までにも増加する。このＢＤ（ブルーレイディスク）のデータ密度は、光学的なスケーリングによりＤＶＤ容量から導出した。
【発明の開示】
【発明が解決しようとする課題】
【０００５】
集束レーザービームは、制御機構によって駆動させて、データの読出しや記録期間中にトラックに正確に追従させなければならない。トラックはディスク上の領域で、そこに情報が記録される。一般に、トラックは螺旋状である。ディスク上の情報を読み出すか、又はそれに記録するためには、レーザービームの焦点をトラックに追従させなければならない。このために、光ディスク上に螺旋状のグルーブ構造体を設けている。グルーブ専用記録方式では、データはグルーブの平坦域（Plateau）内か、又は隣接するランドの平坦域上に書き込まれる。ここでは、入射レーザービームに最も近い平坦域を、オン−グルーブ平坦域と称し、入射レーザービームから最も遠い平坦域を、イン−グルーブ平坦域と称する。データはイン−グルーブ、及びオン−グルーブの両方に書き込むこともできる。この記録スキームを、イン−グルーブ／オン−グルーブ記録方式と称する。図１３はイン−グルーブ／オン−グルーブ記録方式とグルーブ専用記録方式との両方を示す概略図である。トラックはデータが書き込まれる場所であって、（グルーブ専用記録方式では）オン−グルーブか、又はオン−グルーブ平坦域のどちらか、若しくは、（イン−グルーブ／オン−グルーブ記録方式では）イン−グルーブ及びオン−グルーブ平坦域の両方となる。２つのトラック間の距離は、トラックピッチ（ＴＰ）と呼ばれる。
【０００６】
トラッキング誤差は、レーザービーム焦点の所望の位置と実位置とのずれである。所望の焦点位置はトラックの中心である。トラッキング誤差信号を生成するのに用いられる光パラメータは、一般にプッシュプル信号として知られている。記録／読出し装置は、トラックに対する焦点の空間的な偏差を検出するために、グルーブ構造に基づくプッシュプル信号を生成するための補助検出器を有している。プッシュプル信号は、記録ヘッド、ひいては焦点を、ディスクの回転中にトラック上に位置を付けるアクチュエータを制御するのに用いられる。
【０００７】
グルーブの構造は、グルーブの深度ｄと、フランク角θと、グルーブ幅Ｌ１と、グルーブデューティサイクルによって特徴づけられる。図２にこの定義づけを示す。図２に示すイン−グルーブ配列の場合、隣接する２つのグルーブ間のピッチがトラックピッチに相当する。グルーブ深度ｄはグルーブの深さである。グルーブデューティサイクルは、グルーブ幅Ｌ１をトラックピッチＴＰで割った値で規定される。フランク角θはグルーブと隣接する平坦域との間の傾きを決定する。現行の定義では、オン−グルーブとは入射レーザービームから最初に見える基板の部分（ランド）を指し、イン−グルーブとは入射レーザービームからより遠い基板の部分（グルーブ）を指す。
【０００８】
さらに、グルーブの形状は局部光吸収にも重要な影響を及ぼす。これは例えば、ランドとグルーブ平坦域で異なる記録現象を呈していた初期のブルーレイディスクシステム（ＤＶＲシステム）におけるランド／グルーブ記録スキームから既知である。このランド／グルーブ記録スキームにおいては、書込みパワーと熱によるクロス書込み（cross-write）（中央のトラックにマークを書き込むことによってが隣接するトラックのマークが部分的に消去されてしまう現象）に関して、ランドの加熱とグルーブの加熱との間には明確な差異が観察された。グルーブ（イン−グルーブ）加熱は高めの書込みパワーを要し、熱による多めのクロス書込みを引き起こす。従って、トラッキング及び光吸収の両方に関して最適に動作するグルーブ形状を適切に選択することが、高品質の光データ記録にとって最も重要である。
【０００９】
本発明の目的は、遠紫外記録向けに基準化した容量を有し、トラッキング及び光吸収に関して最適化された、データ記憶用光記録担体を提供することにある。
【課題を解決するための手段】
【００１０】
この目的は、グルーブ専用記録、及びイン−グルーブ／オン−グルーブ記録の両者とも、（０．５５×λ／ＮＡ）〜（０．７５×λ／ＮＡ）の範囲内のトラックピッチＴＰを有する螺旋トラックで特徴づけられる、データ記憶用光記録担体により達成される。λはデータ読出し／記録に用いる紫外レーザーの波長であり、この波長範囲は、２３０ｎｍ〜２７０ｎｍである。ＮＡは、光記録担体上にレーザービームを集束するのに用いる対物レンズの開口数である。現在ブルーレイディスクシステムで用いられている高性能対物レンズの代表的な開口数ＮＡは、０．８５である。この場合、有効なスポット半径Ｒ０、すなわちレーザースポットの強度がその最大強度の１／ｅに減少するスポットの半径は、λ＝２６６ｎｍのシステムではＲ０＝９９ｎｍである。このＲ０の値と、他の３つの既知のシステム（ＣＤ、ＤＶＤ及びＢＤ）の有効焦点半径とを、表１にて比較する。表１には、関連するスポット領域と予測データ容量も示してある。有効スポット領域（πＲ０２）を考慮すると、ＵＶシステムでは６０〜６５ギガバイトのデータ容量が予測される。得られるデータ容量は、開口数ＮＡ＝０．６５の方が開口数ＮＡ＝０．８５の方よりも低くなる。
【００１１】
【表１】
2007528575.tif 000003
【００１２】
結論として、有効なスポット半径Ｒ０は、λ＝２６６ｎｍでＮＡ＝０．８５の場合に約１００ｎｍとする。トラックピッチを小さくし過ぎると、光スポットが隣接トラック、及び書込み済みのデータに広範囲で重なり、データの損傷、データ読出し中の光クロストーク、及びプッシュプルトラッキング信号の深刻な低減を引き起こすおそれがある。一方、トラックピッチを広くし過ぎると、目標とするデータ容量が決して得られなくなる。本発明によれば、熱によるクロス書込みが最小で、許容の光クロストーク、許容のプッシュプル信号で、且つ達成可能データ容量を最大にする最適なデータトラックピッチを達成することができる。ＣＤ、ＤＶＤ、ＢＤ及びＵＶシステムの、トラック断面（横方向）の温度特性を数値シミュレーションした結果を図１に示す。
【００１３】
図１は、レーザーパルス加熱（５０ｎｓの書込みパルス）を受けたＣＤ、ＤＶＤ、ＢＤ及びＵＶの、トラック断面（横方向）の温度特性を示す。これらの温度特性はトラックの中心の最大温度で正規化して、有効スポットサイズ（Ｒ０）で基準化したトラック断面（横方向）の座標の関数としてプロットしたものである。
【００１４】
全ての温度特性が、同様のカーブ属性を呈することがわかる。図より、半径方向の位置ｙ＝２×Ｒ０では、隣接トラックの中心における温度が最大温度Ｔｍａｘの０．２倍に低下することが分かる。
【００１５】
相変化に基づく書き換え可能な光ディスクの場合における、熱によるクロス書込みは、特に、隣接トラックにおけるマークの（部分的な）再結晶化であり、これは、中心トラックへの書込みに起因する。レーザー誘起の再結晶化は、結晶化温度（２００℃〜３００℃）以上の温度で起こる。トラックの最大温度（Ｔｍａｘ）が約８００℃〜１０００℃のとき、十分に幅広いマークの融解が可能となる。記録材料の細かい特性に依存するが、隣接するトラックにおける０．２Ｔｍａｘ又はそれ以下の温度が、熱によるクロス書込みを回避するための妥当な基準である。この場合、隣接トラックの温度は２００℃以下にとどまる。トラックピッチの最小値をＴＰ＝２×Ｒ０とする場合には、熱によるクロス書込みを回避することができる。スポット強度分布にガウス分布を当てはめると、Ｒ０に関する以下の式が得られる。
Ｒ０＝０．５２×１．２２×λ／（２×ＮＡ）
【００１６】
熱によるクロス書込みをできるだけ回避するためには、ＴＰ＝２×Ｒ０とするのが好適である。従って、
ＴＰ＝２×Ｒ０
ＴＰ＝２×０．５２×１．２２×λ／（２×ＮＡ）
ＴＰ＝０．６３×λ／ＮＡ
となる。
【００１７】
値０．６３の近辺の範囲は次の通りである。すなわち、
０．５５×λ／ＮＡ＜ＴＰ＜０．７５×λ／ＮＡ
【００１８】
下限値０．５５は、実用する記録材料における熱によるクロス書込みによって決められる。上限値０．７５は、データ容量に関係する。このようにして、最適なトラックピッチを有するＵＶレーザー用の光ディスクを得る。
【００１９】
光記録ディスクは、グルーブ深度ｄによって特徴づけられ、光記録ディスクのカバー層の屈折率をｎ０として、前記グルーブ深度ｄを（１／１２）×（λ／ｎ０）〜（１／４）×（λ／ｎ０）の範囲内の値とするのが好適である。このグルーブ深度は、トラッキングに用いるプッシュプル信号の振幅を決定する。このプッシュプル信号は、レーザースポットがトラック上にあるか否かを判断するため、十分に強くなければならない。
【００２０】
グルーブ深度は、イン−グルーブで反射される波長λの光ビームと、オン−グルーブで反射される波長λの光ビームとの間で、部分的に相殺的な干渉が生じるように選定する。ランドから反射された光ビームとグルーブから反射された光ビームとの間の光学的遅延がλ／（ｎ０×２）の場合、すなわち２×ｄ×ｎ０＝λ／２の場合には、２つの光ビームが完全に相殺し合い、光ディスクからの全反射光強度は最小となる。ｎ０は記録スタックと対物レンズとの間にある媒質の屈折率である。保護層を用いる場合には、この屈折率ｎ０は保護層の材料の屈折率であり、空気を介して光ビームを入射する記録の場合にはｎ０＝１である。ｄはグルーブ深度であり、２×ｄ×ｎ０はイン−グルーブ及びオン−グルーブから反射した光ビーム間の光学遅延である。イン−グルーブとオン−グルーブとの光路差は、ｄ×ｎ０、すなわち、光学遅延の半分の距離として定義される。
【００２１】
従って、グルーブ深度ｄはｄ＝λ／（４×ｎ０）よりも小さくして、反射光強度が極めて低くなって、信号の振幅も極小化する完全に相殺的な干渉を回避しなければならない。この値よりも深いグルーブ深度では、プッシュプルトラッキング信号の極性が反転してしまう。従って、実用上のディスクにおいては、λ／８辺りの光路差を用いている。λ／１２の最小光路差でも十分大きなトラッキング信号が保護される。このことは、プッシュプル信号の振幅がグルーブ深度だけでなく、トラックピッチにも依存するため、厳しい制約にはならない。すなわち、大きめのトラックピッチにはいくらか浅めのグルーブを用いることができる。
【００２２】
本発明は、グルーブ専用記録及びイン−グルーブ／オン−グルーブ記録方式の両方を保護対象とするものである。グルーブ専用記録方式は、記録にイン−グルーブ、又はオン−グルーブの平坦域だけを使用する記録スキームである。イン−グルーブ／オン−グルーブ記録方式では、双方の平坦域を記録用に使用する。これら２つの記録スキームを、ブルーレイディスクを前提として図１３に示す。矢印は入射レーザービームを示す。イン−グルーブ／オン−グルーブ記録方式のグラフ（上方のグラフ）と、グルーブ専用記録方式のグラフ（下方のグラフ）も図１３に示す。下方のグラフは、記録にオン−グルーブの平坦域を用いる記録スキームのグラフである。下方のグラフのトラックピッチＴＰは３２０ｎｍであり、これは隣接する平坦域の中心間の距離に相当する。上方のグラフのトラックピッチＴＰは３００ｎｍであり、これは平坦域の中心と隣接するグルーブの中心との間の距離に相当する。上方のグラフにおいて、グルーブに隣接する２つの平坦域の中心間距離は６００ｎｍである。
【００２３】
光ディスクは３０％〜７０％のグルーブデューティサイクルＤＣを有するのが好適である。デューティサイクルが０％又は１００％に近づくと、プッシュプル信号が消えてしまう。
【発明を実施するための最良の形態】
【００２４】
本発明の好適な実施態様を、添付の図面につき以下に詳細に説明する。
【００２５】
図２は、本発明の実施態様の略図であり、提案する等角のグルーブ形状を示す。ＭＩＰＩスタック（Ｍは金属、Ｉは誘電体層、及びＰは相変化層を指す）をプリグルーブ（予めグルーブを施した）基板上に堆積している。図２に示す光記録担体は、以下の層から成る。すなわち、保護層、上部誘電体層、相変化層ＰＣ、下部誘電体層、金属層、そして最後に基板層である。
【００２６】
円錐２９は、集束させた入射電磁放射ビームの方向を表す。イン−グルーブとは、基板におけるマスターグルーブを指す。ここでは、グルーブ専用記録スキームについて検討する。イン−グルーブ／オン−グルーブ記録スキームは本発明の別の態様であって、本実施態様では保護していない。図２のイン−グルーブ配列の場合、隣接する２つのグルーブ間のピッチはトラックピッチ（ＴＰ）に相当する。他のグルーブ寸法は、フランク幅ＦＷ、イン−グルーブ幅Ｌ１、オン−グルーブ幅Ｌ２、フランク角θ、及びグルーブ深度ｄである。オン−グルーブはランド台地である。図２から明らかなように、記録媒体のトラックピッチＴＰは２００ｎｍ、グルーブ深度は２０ｎｍ、グルーブデューティサイクルは５０％である。オン−グルーブ、及びイン−グルーブの、幅Ｌ１とＬ２は両方とも１００ｎｍである。フランク角θは６０°である。フランク幅ＦＷは１１．５ｎｍである。
【００２７】
下記の表２は、図２に示す本実施態様の種々の層厚から成る光ディスクの光学特性を示す。Ｎはそれぞれの層の屈折率、Ｋは波長２６６ｎｍでの種々の層の吸収係数である。
【００２８】
【表２】
2007528575.tif 000004
【００２９】
図２に示す光記録ディスクは２６６ｎｍの波長を有するレーザー及び開口数ＮＡ＝０．８５の対物レンズ用に最適化されている。２００ｎｍのトラックピッチは、ＴＰ＝０．６４×λ／ＮＡから与えられる。これは、十分に添付の請求項１の保護範囲内にある。２０ｎｍのグルーブ深度は（１／７．５）×（λ／ｎ０）に相当し、これも十分に添付の請求項２の保護範囲内にある。５０％のグルーブデューティサイクルは、添付の請求項３の元に包含される。
【００３０】
図３に、２０ｎｍのグルーブ深度を有するＢＤ及びＵＶ光記録担体のトラック断面の温度特性を示す。ＢＤスタックの他のパラメータは、ＴＰ＝３２０ｎｍ、ＦＷ＝１１．５ｎｍ、Ｌ１＝Ｌ２＝１６０ｎｍ（ＤＣ＝５０％）であり、ＵＶグルーブ形状のパラメータは、ＴＰ＝２００ｎｍ、ＦＷ＝１１．５ｎｍ、Ｌ１＝Ｌ２＝１００ｎｍ（ＤＣ＝５０％）である。ＵＶ媒体は図２の実施態様に対応する。図３には、イン−グルーブ及びオン−グルーブの温度特性を示している。オン−グルーブの特性は、イン−グルーブとオン−グルーブ加熱との比較を容易にするために、１／２ＴＰずらしている。２０ｎｍの深さのグルーブでは、イン−グルーブとオン−グルーブとの間の加熱の差異はＢＤ記録方式での条件（ＮＡ＝０．８５、λ＝４０５ｎｍ）では比較的小さいが、ＵＶ記録方式（ＮＡ＝０．８５、λ＝２６６ｎｍ）では差異が著しい。両記録方式とも、オン−グルーブ加熱ではサイドローブが低くなり、中心の温度ピークが幅広くなっている。
【００３１】
図３のグラフにおける幅狭の２つの曲線は、ＵＶ光記録担体のイン−グルーブ及びオン−グルーブトラックの温度特性を示す。ＵＶ光記録担体の曲線はより小さいサイドローブと高いピーク値を有しているため、ＵＶ光記録担体の温度分布曲線はＢＤ光記録担体の分布曲線よりも優れている。従って、熱によるクロス書込みがより一層容易に回避される。
【００３２】
熱によるクロス書込みは、中央トラックへの書込み期間中に隣接トラックに存在するマークが部分的に消去されるか、又は上書きされてしまう現象である。イン−グルーブ加熱は隣接するトラックを高温度にするため、イン−グルーブ記録は熱によるクロス書込みに対してより敏感となる。ＵＶ方式の場合、隣接するトラックにおけるマークはｙ＝ＴＰ＝２００ｎｍの位置にある。従って、サイドローブはｙ＝１００ｎｍまでしか広がらず、隣接トラックの部分的な再結晶化を十中八九ほとんど引き起こすことはない。エッジ溶解をマーク形成の基準とすれば、オン−グルーブ記録方式では幅広のマークとなる。
【００３３】
様々なグルーブ深度に対するイン−グルーブ加熱のトラック断面温度特性を図４に示す。これらの特性から、グルーブ深度が２５ｎｍのときトラックの中心の温度が最大となることが明らかである。オン−グルーブ加熱の場合のトラック断面温度特性を図５に示す。これらの温度特性はトラックの中心にて幅広となり、明らかにサイドローブも低くなる。
【００３４】
イン−グルーブ及びオン−グルーブ加熱の両方を、ＵＶ記録用に検討することができる。グルーブ専用記録の場合、マークは隣接する側面と平坦域に部分的に書き込まれる。中心の平坦域を越える幅を有するマークを要する場合には、イン−グルーブ記録が有益である。相対的に高いサイドローブを用いるのが有利であり、マークの書込みには適度なパワーレベルを要するだけである。例えばデータトラックピッチをさらに短くするためにマークを狭くする場合には、オン−グルーブ記録が推奨される。熱の観点から、グルーブ深度は約２０〜２５ｎｍとするのが好適である。さらに、デューティサイクルの影響も重要である。
【００３５】
図１２において、ブルーレイディスクの前提のもとにデューティサイクルの影響を説明する。図１２の上のグラフは、イン−グルーブ記録での温度特性を示す。図１２の下のグラフは、オン−グルーブ記録での温度特性を示す。両方のグラフにおいて、トラックピッチＴＰ、グルーブ深度ｄ及びフランク角は同一とする。異なるデューティサイクルＤＣ、すなわち３０％、５０％及び７０％の場合における温度特性を両グラフに示す。オン−グルーブ記録に比べてイン−グルーブ記録のほうが、温度分布のサイドローブが大きくなっている。デューティサイクルが大きいと、幅広の温度特性となる。小さいデューティサイクルでは温度特性が制限される結果となる。
【００３６】
異なる光ディスク構造に対するプッシュプルトラッキング信号を図６〜１１に示す。図６〜１１のプッシュプル信号は計算結果である。保護層（屈折率ｎ０＝１．５）を経て記録する場合と、空気（反射係数ｎ０＝１．０）入射記録の場合について、３つの異なるトラックピッチ（ＴＰ）に対して、λ＝２６６ｎｍでＮＡ＝０．８５でのトラッキング信号を仮定した。
【００３７】
図６は、トラックピッチで正規化した半径方向位置の関数としてのプッシュプル信号を示す。記録は、保護層を経て行った。トラックピッチＴＰは１７５ｎｍ、グルーブデューティサイクルは５０％とした。図７では、記録を保護層を経て行い、トラックピッチＴＰは２００ｎｍ、グルーブデューティサイクルは５０％とした。図８では記録を保護層を経て行ない、トラックピッチＴＰは２２５ｎｍ、グルーブデューティサイクルは５０％とした。図９は空気入射記録で、トラックピッチＴＰは１７５ｎｍ、グルーブデューティサイクルは５０％とした。図１０では空気入射記録で、トラックピッチＴＰは２００ｎｍ、グルーブデューティサイクルは５０％とした。図１１は空気入射記録で、トラックピッチＴＰは２００ｎｍ、グルーブデューティサイクルは５０％とした。
【００３８】
グルーブ構造の選択において考慮しなくてはならないさらなる要件は、トラッキングに要するプッシュプル信号である。データ容量の観点からみればトラックピッチを小さくするのが有益であるが、その場合プッシュプル信号が劣化し、これによりトラッキングの信頼性が低下する。実用上、トラッキングの信頼性とデータ密度との間の良好な妥協点は、正規化したプッシュプル信号が０．２のときである。
【００３９】
図７のグラフにおける２０ｎｍのグルーブ深度での曲線は、図２に示した好適実施態様の光ディスクでの曲線である。正規化したプッシュプル信号は、先に述べた曲線を０．２だけ上回っている。従って、好適な実施態様での光ディスクでは、満足のゆくプッシュプル信号が提供される。
【図面の簡単な説明】
【００４０】
【図１】ＣＤ、ＤＶＤ、ＢＤ及びＵＶを前提とし、レーザーパルス（５０ｎｓの書込みパルス）加熱によるトラック断面（横方向）の温度特性図であり、トラックの中心の最大温度で正規化して、有効光スポットのサイズ（Ｒ０）で基準化したトラック断面（横方向）座標の関数としてプロットした特性図である。
【図２】本発明の好適な実施例を示す概略図である。
【図３】グルーブのあるＢＤ及びＵＶ媒体におけるトラック断面の温度特性を示す図であり、イン−グルーブ及びオン−グルーブの温度特性を示す。
【図４】（ＵＶ記録条件での）いくつかののグルーブ深度に対するイン−グルーブ加熱でのトラック断面の温度特性を示す図である。
【図５】（ＵＶ記録条件での）いくつかのグルーブ深度に対するオン−グルーブ加熱でのトラック断面の温度特性を示す図である。
【図６】トラックピッチで正規化した半径方向位置の関数としてのプッシュプル信号を示す図であり、記録を保護層を経て行ない、トラックピッチＴＰを１７５ｎｍとし、グルーブデューティサイクルを５０％とした場合のプッシュプル信号を示す。
【図７】トラックピッチで正規化した半径方向位置の関数としてのプッシュプル信号を示す図であり、記録を保護層を経て行ない、トラックピッチＴＰを２００ｎｍとし、グルーブデューティサイクルを５０％とした場合のプッシュプル信号を示す。
【図８】トラックピッチで正規化した半径方向位置の関数としてのプッシュプル信号を示す図であり、記録を保護層を経て行ない、トラックピッチＴＰを２２５ｎｍとし、グルーブデューティサイクルを５０％とした場合のプッシュプル信号である。
【図９】トラックピッチで正規化した半径方向位置の関数としてのプッシュプル信号を示す図であり、空気入射記録を行ない、トラックピッチＴＰを１７５ｎｍとし、グルーブデューティサイクルを５０％とした場合のプッシュプル信号を示す。
【図１０】トラックピッチで正規化した半径方向位置の関数としてのプッシュプル信号を示す図であり、空気入射記録を行ない、トラックピッチＴＰを２００ｎｍとし、グルーブデューティサイクルを５０％とした場合のプッシュプル信号を示す。
【図１１】トラックピッチで正規化した半径方向位置の関数としてのプッシュプル信号を示す図であり、空気入射記録を行ない、トラックピッチＴＰを２００ｎｍとし、グルーブデューティサイクルを５０％とした場合のプッシュプル信号を示す。
【図１２】グルーブデューティサイクルが３０％、５０％及び７０％である光ディスクにおける、イン−グルーブ及びオン−グルーブ加熱でのトラック断面の温度特性を示す２つのグラフである。
【図１３】ランド／グルーブ、及びグルーブのみの加熱、及び記録方式の概略図である。
【図１】
2007528575.tif 000005
【図２】
2007528575.tif 000006
【図３】
2007528575.tif 000007
【図４】
2007528575.tif 000008
【図５】
2007528575.tif 000009
【図６】
2007528575.tif 000010
【図７】
2007528575.tif 000011
【図８】
2007528575.tif 000012
【図９】
2007528575.tif 000013
【図１０】
2007528575.tif 000014
【図１１】
2007528575.tif 000015
【図１２】
2007528575.tif 000016
【図１３】
2007528575.tif 000017
【国際調査報告】
2007528575.tif 000018
2007528575.tif 000019